(57)【要約】【課題】視差の切り替わりのスムーズさと画像の品位の高さとを両立可能な表示装置を提供する。【解決手段】表示パネルと、前記表示パネルから出射される光線の方向を制御する光制御部とを有する表示部と、前記表示パネルを制御して、互いに異なる視差数の２以上の視差画像が混在する画像を前記表示部の表示面に表示する画像表示制御部と、を具備し、前記画像表示制御部は、少なくとも第１領域に第１視差数の視差画像を表示し、第２領域に前記第１視差数よりも少ない第２視差数の視差画像を表示する、表示装置。【選択図】図１
2020178307.tif 000002
【特許請求の範囲】
【請求項１】
表示パネルと、前記表示パネルから出射される光線の方向を制御する光制御部とを有する表示部と、
前記表示パネルを制御して、互いに異なる視差数の２以上の視差画像が混在する画像を前記表示部の表示面に表示する画像表示制御部と、
を具備し、
前記画像表示制御部は、少なくとも第１領域に第１視差数の視差画像を表示し、第２領域に前記第１視差数よりも少ない第２視差数の視差画像を表示する、
表示装置。
【請求項２】
前記第１領域は、前記表示面からの乖離量が一定量未満のオブジェクトが配置される領域であり、前記第２領域は、前記表示面からの乖離量が前記一定量以上のオブジェクトが配置される領域である、請求項１に記載の表示装置。
【請求項３】
前記画像表示制御部は、２次元画像が前記表示パネルに表示される場合における前記２次元画像の解像度に対して（１／第１視差数）の解像度で前記第１視差数の視差画像を表示し、前記２次元画像の解像度に対して（１／第２視差数）の解像度で前記第２視差数の視差画像を表示する、請求項１又は２に記載の表示装置。
【請求項４】
前記画像表示制御部は、前記（１／第１視差数）の解像度の情報が各々前記第１視差数ずつ水平方向に並ぶ前記第１視差数の視差画像を表示し、前記（１／第２視差数）の解像度の情報が各々前記第２視差数ずつ水平方向に並ぶ前記第２視差数の視差画像を表示する、請求項３に記載の表示装置。
【請求項５】
前記画像表示制御部は、前記第１視差数の視差画像と前記第２視差数の視差画像との間の領域に前記第１視差数および前記第２視差数と異なる第３視差数の視差画像を表示する、請求項１乃至４のいずれか１項に記載の表示装置。
【請求項６】
前記画像表示制御部は、前記互いに異なる視差数の２以上の視差画像間の領域に非視差画像である２次元画像を表示する、請求項１乃至４のいずれか１項に記載の表示装置。
【請求項７】
前記互いに異なる視差数の２以上の視差画像間の領域に表示する前記２次元画像は、単一色の画像である、請求項６に記載の表示装置。
【請求項８】
前記単一色の画像は、黒色の画像である、請求項７に記載の表示装置。
【請求項９】
前記光制御部は、視差バリアである、請求項１乃至８のいずれか１項に記載の表示装置。
【請求項１０】
前記光制御部は、レンチキュラーレンズである、請求項１乃至８のいずれか１項に記載の表示装置。
【発明の詳細な説明】
【技術分野】
【０００１】
本発明の実施形態は、表示装置に関する。
【背景技術】
【０００２】
近年、裸眼で立体視を可能とする表示装置が種々提案されている。たとえば、左眼用の画像と右眼用の画像とを表示パネルに表示し、視差バリアやレンチキュラーレンズなどによって、左眼用の画像を左眼で、右眼用の画像を右眼で観察させることで、観察者に立体画像を提示する表示装置が知られている。
【先行技術文献】
【特許文献】
【０００３】
【特許文献１】特開２０１０−１４８９１号公報
【特許文献２】国際公開第２００７／００７５４３号
【特許文献３】国際公開第２０１１／１３２４２２号
【発明の概要】
【発明が解決しようとする課題】
【０００４】
本発明は、視差の切り替わりのスムーズさと画像の品位の高さとを両立可能な表示装置を提供する。
【課題を解決するための手段】
【０００５】
本発明の一様態は、表示パネルと、前記表示パネルから出射される光線の方向を制御する光制御部とを有する表示部と、前記表示パネルを制御して、互いに異なる視差数の２以上の視差画像が混在する画像を前記表示部の表示面に表示する画像表示制御部と、を具備し、前記画像表示制御部は、少なくとも第１領域に第１視差数の視差画像を表示し、第２領域に前記第１視差数よりも少ない第２視差数の視差画像を表示することを特徴としたものである。
【図面の簡単な説明】
【０００６】
【図１】実施形態の表示装置の一構成例を示す図。
【図２】実施形態の表示装置によって表示される画像の一例を示す図。
【図３】実施形態の表示装置が備える、立体視する観察者が違和感を覚えることを抑える仕組みの概要を説明するための図。
【図４】視差数の多い情報が観察者に提示されている状態と、視差数の少ない情報が観察者に提示されている状態とを示す図。
【図５】実施形態の表示装置の光線方向制御部が視差バリアである場合における表示部の構成例を説明するための図。
【図６】実施形態の表示装置の光線方向制御部がレンチキュラーレンズである場合における表示部の構成例を説明するための図。
【図７】実施形態の表示装置における表示パネルの画素からの光線に関する光線方向制御部による光線方向振り分けを示す図。
【図８】実施形態の表示装置が、逆視にならない領域が両眼距離に対して十分大きいデバイスとして構成されることを示す図。
【図９】２視点中の１視点で観察される画像を説明するための図。
【図１０】実施形態の表示装置の光線方向制御部が視差バリアである場合における任意の視差数の視差画像の表示例を示す図。
【図１１】実施形態の表示装置の光線方向制御部がレンチキュラーレンズである場合における任意の視差数の視差画像の表示例を示す図。
【図１２】実施形態の表示装置の表示パネルによる、６視差（６視点）の視差画像の表示例と、２視差（２視点）の視差画像の表示例とを示す図。
【図１３】実施形態の表示装置の表示パネルによる、６視差（６視点）の視差画像および２視差（２視点）の視差画像の１視点あたりの画像の表示例を示す図。
【発明を実施するための形態】
【０００７】
以下に、本発明の各実施の形態について、図面を参照しつつ説明する。
なお、開示はあくまで一例に過ぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
また、本明細書と各図において、既出の図に関して前述したものと同様の要素には、同一の符号を付して、重複する詳細な説明を適宜省略することがある。
【０００８】
図１は、実施形態の表示装置１の一構成例を示す図である。
表示装置１は、裸眼で立体視を可能とする表示装置であり、図１に示すように、画像データ入力部１１、画像表示制御部１２および表示部１３を有している。また、表示部１３は、表示パネル１３１と、光線方向制御部１３２とを有している。表示パネル１３１は、たとえば液晶パネルであり、光線方向制御部１３２は、たとえば視差バリアまたはレンチキュラーレンズである。
【０００９】
表示装置１は、画像データ入力部１１によって入力される画像データに対応する画像を、画像表示制御部１２が表示パネル１３１に表示する。表示パネル１３１には、左眼用の画像と右眼用の画像とが表示され得る。表示パネル１３１に表示された左眼用の画像と右眼用の画像とは、表示パネル１３１と観察者との間に介在する光線方向制御部１３２の作用によって観察者の左眼と右眼とで各々観察される。左眼用の画像を左眼で、右眼用の画像を右眼で観察させることで、この表示装置１は、観察者に立体画像を提示する。
【００１０】
観察者に立体画像を提示するために表示パネル１３１に表示される画像は、視差画像などと称される。視差画像は、両眼視差（２視差：２視点）を最小の視差数として、様々な視差数（視点数）の視差画像として作成・表示され得る。
ところで、視差数の多い視差画像を表示するように構成された表示装置の場合、滑らかな視差の切り替わりによって自然な運動視差を表現できる一方、表示面からの乖離量（奥行き・飛び出し量）が大きい場合、隣接する視差情報（隣接する画素からの光線）のクロストークによって表示が大きくぼやける問題が生じる。
【００１１】
逆に、視差数の少ない視差画像を表示するように構成された表示装置の場合、隣接する視差情報のクロストークが少なく品位の高い画像を認識できる一方、顔を動かしたときの視差の切り替わりがスムーズに行えなくなる。
つまり、視差数の多い視差画像と視差数の少ない視差画像とは、視差の切り替わりのスムーズさと画像の品位の高さとがトレードオフの関係にある。表示装置１は、視差の切り替わりのスムーズさと画像の品位の高さとを両立させることを実現し、立体視する観察者が違和感を覚えることを抑える仕組みを備えたものであり、以下、この点について詳述する。
【００１２】
図２は、この表示装置１によって表示される画像の一例を示す図である。
この表示装置１は、図２に示すように、たとえば、２視差画像ａ１、Ｎ’（Ｎ’＞２）視差画像ａ２、Ｎ（Ｎ＞Ｎ’）視差画像ａ３といった、互いに異なる視差数の２以上の視差画像が混在する画像を表示部１３の表示面１００に表示する。換言すれば、この表示装置１は、表示パネル１３１上に、視差数の異なる視差画像を共存させる。
【００１３】
また、この表示装置１は、互いに異なる視差数の２以上の視差画像が混在する画像を表示する場合、当該互いに異なる視差数の２以上の視差画像間の領域に、これらの視差画像のいずれとも視差数が異なる視差画像または非視差画像である２次元画像を表示する（画像ａ４）。
【００１４】
具体的には、ある画像上に、表示面１００からの乖離量が大きいコンテンツ（オブジェクト）と、表示面１００からの乖離量が小さいコンテンツとが含まれる場合、この表示装置１は、前者のコンテンツを視差数の少ない視差画像によって表示し、後者のコンテンツを視差数の多い視差画像によって表示する。
【００１５】
つまり、図２に示される、２視差画像ａ１、Ｎ視差画像ａ２、Ｎ’視差画像ａ３は、たとえば、表示面１００からの乖離量が大きいコンテンツ、表示面１００からの乖離量が小さいコンテンツ、表示面１００からの乖離量が中程度のコンテンツを表示するための画像である。
【００１６】
たとえば、ある画像上の複数のコンテンツについて、運動視差を滑らかに表現したいコンテンツは視差数の多い視差画像によって表示し、文字が含まれているコンテンツや、奥行き感・飛び出し感を多く出したいコンテンツは視差数の少ない視差画像によって表示する等が考えられる。
【００１７】
そして、表示装置１は、表示パネル１３１へ表示する画像のみによって、１つの画像内での視差数の振り分けを実施する。つまり、表示装置１は、１つの画像内で視差数を振り分けることについて、たとえば光線方向制御部１３２などに関する特別の機構を必要としない。この表示装置１は、両眼視差（２視差）よりも多い視差数の視差画像を表示可能な多眼の立体表示装置であって、画像上の任意の領域において、視差数を減少させた視差画像を適宜に表示する。
【００１８】
ここで、図３を参照して、この表示装置１が備える、立体視する観察者が違和感を覚えることを抑える仕組みの概要を説明する。
表示装置１において表示し得る視差画像の最大の視差数は、光線方向制御部１３２が視差バリアである場合、バリアの開口ピッチが跨ぐ表示パネル１３１の画素数によって決まり、光線方向制御部１３２がレンチキュラーレンズである場合、レンズのピッチが跨ぐ表示パネル１３１の画素数によって決まる。具体的には、最大視差数は、視差バリアまたはレンチキュラーレンズの１周期間の画素数となる。
【００１９】
図３（Ａ）中、符号ｂ１で示される線分や、符号ｂ２で示される、線分ｂ１の左右の線分は、表示パネル１３１の１画素からの光線を表している。図３（Ａ）に示すように、観察者の目には、対応する１つの画素からの光線ｂ１だけでなく、隣接する画素からの２つの光線ｂ２も入射する。
【００２０】
この２つの光線ｂ２の視差が少ない場合、観察者が違和感を覚えることがないが、視差が一定量を超えると、人間にはぼけとして認識される。つまり、観察者が違和感を覚えてしまう。
そこで、この表示装置１では、隣接する画素からの光線の視差が大きい場合（一定量を超える場合）、つまり、表示面１００からの乖離量が大きい場合、たとえば図３（Ｂ）において符号ｂ３で示される３つの線分のように、両隣の画素からの光線ｂ２を、光線ｂ１と同一の視差情報とする。これに伴って、画像中の対応する領域の視差数は減少する。これにより、観察者が違和感を覚えることを抑えることができる。画像データ入力部１１によって入力される画像データは、このような、両隣の画素からの光線ｂ２を、光線ｂ１と同一の視差情報とするといったことが考慮されて作成される。
【００２１】
なお、隣接する画素からの光線の視差が大きいか否かを判定するための閾値である前述の一定量は、複数定義され得る。つまり、複数の閾値に基づき、１つの画像内での視差数の振り分けを多段階で実施することが可能である。また、互いに異なる視差数の２以上の視差画像間の領域には、これらの視差画像のいずれとも視差数が異なる視差画像または非視差画像である２次元画像を表示することが望ましい。特に、２次元画像を表示することが望ましい。２次元画像は単一色の画像であることが望ましく、さらには、当該単一色は黒色であることが望ましい。つまり、互いに異なる視差数の２以上の視差画像間の領域について、これらのことが考慮された上で、画像データ入力部１１によって入力される画像データが作成されることが望ましい。
【００２２】
図４に、視差数の多い情報が観察者に提示されている状態と、視差数の少ない情報が観察者に提示されている状態とを示し、この図４を参照して、視差数の多い情報を観察者に提示した場合の利点および欠点と、視差数の少ない情報を観察者に提示した場合の利点および欠点とを改めて説明する。
【００２３】
図４中、（Ａ）は、視差数の多い情報が観察者に提示されている状態、（Ｂ）は、視差数の少ない情報が観察者に提示されている状態を示している。また、符号ｃ１、ｃ２、ｃ３で示される線分は、それぞれ、表示パネル１３１の１画素からの光線であって、互いに異なる視差情報の光線を表している。
【００２４】
図４（Ａ）に示す、視差数の多い情報が観察者に提示されている状態においては、観察者は、滑らかな運動視差を認識することができる。反面、クロストークが多いと、観察者が視覚する表示がぼける。
一方、図４（Ｂ）に示す、視差数の少ない情報が観察者に提示されている状態においては、観察者は、品質の高い奥行き感・飛び出し感を認識することができる。反面、顔を動かしたときの視差の切り替わりが大きい。
【００２５】
続いて、図５および図６を参照して、表示パネル１３１と光線方向制御部１３２とを有する表示部１３の構成例を説明する。
図５は、光線方向制御部１３２が視差バリアである場合における表示部１３の構成例を説明するための図である。
両眼視差（２視差：２視点）を利用する表示装置では、表示部は、通常、図５（Ａ）に示すように、水平方向に交互に並んだ右眼（Ｒ）用および左眼（Ｒ）用の画像を表示する表示パネルと、視差バリアとで構成される。表示パネルは、たとえば、赤色を表示する赤副画素、緑色を表示する緑副画素、青色を表示する青副画素の３副画素で１画素を構成する。
【００２６】
多眼の立体表示装置である本表示装置１の表示部１３も、同様に、表示パネル１３１と視差バリア（光線方向制御部）１３２とで構成されるが、図５（Ｂ）に示すように、表示パネル１３１には１〜ｎ視点用の画像が水平方向に並べて表示され、また、視差バリアの開口ピッチがｎ画素（ｎ×３副画素）を跨ぐように構成される。図５（Ｂ）には、最大視差数（ｎ）が６である場合の構成が示されている。図５（Ｂ）に示すように、視差バリアの開口ピッチが複数の画素を跨ぐ場合に、画像のみによる１つの画像内での視差数の振り分けが可能となる。
【００２７】
また、図６は、光線方向制御部１３２がレンチキュラーレンズである場合における表示部１３の構成例を説明するための図である。
両眼視差（２視差：２視点）を利用する表示装置では、表示部は、通常、図６（Ａ）に示すように、水平方向に交互に並んだ右眼（Ｒ）用および左眼（Ｒ）用の画像を表示する表示パネルと、レンチキュラーレンズとで構成される。
【００２８】
多眼の立体表示装置である本表示装置１の表示部１３も、同様に、表示パネル１３１とレンチキュラーレンズ（光線方向制御部）１３２とで構成されるが、図６（Ｂ）に示すように、表示パネル１３１には１〜ｎ視点用の画像が水平方向に並べて表示され、また、レンズのピッチがｎ画素（ｎ×３副画素）を跨ぐように構成される。図６（Ｂ）には、最大視差数（ｎ）が６である場合の構成が示されている。図６（Ｂ）に示すように、レンズのピッチが複数の画素を跨ぐ場合に、画像のみによる１つの画像内での視差数の振り分けが可能となる。
【００２９】
図７には、表示パネル１３１の画素からの光線に関する光線方向制御部１３２による光線方向振り分けを示す図である。図７中、（Ａ）は、光線方向制御部１３２が視差バリアである場合、（Ｂ）は、光線方向制御部１３２がレンチキュラーレンズである場合を示している。
【００３０】
光線方向制御部１３２が視差バリアである場合、図７（Ａ）において符号ｄ１で示される範囲に含まれる、バリアの開口ピッチが跨ぐ表示パネル１３１の画素の数が、この表示装置１において表示し得る視差画像の最大の視差数（最大視点数）として決定される。
【００３１】
また、光線方向制御部１３２がレンチキュラーレンズである場合、図７（Ｂ）において符号ｄ２で示される範囲に含まれる、レンズのピッチが跨ぐ表示パネル１３１の画素の数が、この表示装置１において表示し得る視差画像の最大の視差数（最大視点数）として決定される。
【００３２】
なお、この表示装置１は、図８に示すように、逆視にならない領域ｅ１が、表示部１３に表示される画像を観察する観察者の両眼距離ｅ２に対して十分大きいデバイスとして構成される。
次に、図９を参照して、２視点中の１視点で観察される画像について説明する。
【００３３】
図９中、（Ａ１）は、両眼視差（２視差：２視点）を利用する表示装置の表示部での１視点用の画像の表示例、（Ａ２）は、最大視差数４の多眼の立体表示装置の表示部での２視差の視差画像を表示する場合における１視点用の画像の表示例を示している。２視差の視差画像を表示する場合、（Ａ１）において水平方向に並ぶ２つの画素（赤副画素、緑副画素、青副画素）は同一の視差情報の光線を出射する。
【００３４】
また、図９中、（Ｂ１）は、（Ａ１）に示すように表示された１視点用の画像の観察者による視覚例、（Ｂ２）は、（Ａ２）に示すように表示された１視点用の画像の観察者による視覚例を示している。
図９中の（Ａ１）および（Ｂ１）と（Ａ２）および（Ｂ２）とで示されるように、１視点あたりの解像度（情報）は両者同じである。このように、画像のみによって、たとえば最大視差数４の視差画像を表示可能な表示装置において、視差数を２に減少させた視差画像を表示することが可能である。また、視差数を減少させた視差画像の表示は、表示領域内の任意の領域において可能である。
【００３５】
図１０は、光線方向制御部１３２が視差バリアである場合において、ｎ（ｎ＝最大視差数）視差の視差画像を表示する例と、ｎ’（ｎ’＝ｎ／４）視差の視差画像を表示する例とを示す図である。
ｎ視差の視差画像を表示する場合、図１０（Ａ）に示すように、表示パネル１３１の画素が、ｎ画素ごとにｎ視点分の画像を表示するために用いられることになるので、観察者に対しては、非視差画像である２次元画像の解像度に対して（１／ｎ）の解像度の情報で構成されるｎ視差の視差画像が提示されることになる。
【００３６】
また、ｎ’視差の視差画像を表示する場合には、図１０（Ｂ）に示すように、表示パネル１３１の画素が、ｎ画素ごとにｎ’視点分の画像を表示するために用いられることになる。具体的には、４画素ずつ同一の視差情報の光線を出射することで、（ｎ／４）視差であるｎ’視差の視差画像を表示する。その結果、観察者に対しては、非視差画像である２次元画像の解像度に対して（１／ｎ’）の解像度の情報で構成されるｎ’視差の視差画像が提示されることになる。
【００３７】
図１１は、光線方向制御部１３２がレンチキュラーレンズである場合において、ｎ（ｎ＝最大視差数）視差の視差画像を表示する例と、ｎ’（ｎ’＝ｎ／４）視差の視差画像を表示する例とを示す図である。
ｎ視差の視差画像を表示する場合、図１１（Ａ）に示すように、表示パネル１３１の画素が、ｎ画素ごとにｎ視点分の画像を表示するために用いられることになるので、観察者に対しては、非視差画像である２次元画像の解像度に対して（１／ｎ）の解像度の情報で構成されるｎ視差の視差画像が提示されることになる。
【００３８】
また、ｎ’視差の視差画像を表示する場合には、図１１（Ｂ）に示すように、表示パネル１３１の画素が、ｎ画素ごとにｎ’視点分の画像を表示するために用いられることになる。具体的には、４画素ずつ同一の視差情報の光線を出射することで、（ｎ／４）視差であるｎ’視差の視差画像を表示する。その結果、観察者に対しては、非視差画像である２次元画像の解像度に対して（１／ｎ’）の解像度の情報で構成されるｎ’視差の視差画像が提示されることになる。
【００３９】
このように、光線方向制御部１３２が視差バリアまたはレンチキュラーレンズのいずれの場合であっても、表示パネル１３１へ表示する画像のみによって、視差数を制御することができ、したがって、１つの画像内で視差数を振り分けることが可能である。
図１２は、表示パネル１３１による、６視差（６視点）の視差画像の表示例と、２視差（２視点）の視差画像の表示例とを示す図である。ここでは、表示パネル１３１が表示可能な視差画像の最大視差数が６である場合を想定している。
【００４０】
図１２中、符号ｆ−１、ｆ−２、…で示される各矩形は、図５（Ｂ）または図６（Ｂ）に示した、視差バリアの開口ピッチまたはレンチキュラーレンズのピッチが跨ぐ６画素に対応するものであって、視覚的に比較し易いように、６視差（６視点）の視差画像の表示例と、２視差（２視点）の視差画像の表示例とを上下に重ねたものである。
【００４１】
図１２に示すように、６視差（６視点）の視差画像の場合、６画素中、左の３画素に右眼用の３視点分の画像が各々表示され、右の３画素に左眼用の３視点分の画像が各々表示される。一方、２視差（２視点）の視差画像の場合は、６画素中、左の３画素すべてに右眼用の１視点分の画像が表示され、右の３画素すべてに左眼用の１視点分の画像が表示される。
【００４２】
つまり、この表示装置１は、２視点のとき、１視点あたりの画像入力量（１視点あたりの解像度）を、６視点のときの１視点あたりの解像度の３倍にする。
図１３は、表示パネル１３１による、６視差（６視点）の視差画像および２視差（２視点）の視差画像の１視点あたりの画像の表示例を示す図である。
【００４３】
図１３中、符号ｇ−１、ｇ−２、…で示される各矩形は、図１２に示した矩形ｆ−１、ｆ−２、…に対応するものである。つまり、図５（Ｂ）または図６（Ｂ）に示した、視差バリアの開口ピッチまたはレンチキュラーレンズのピッチが跨ぐ６画素に対応するものであって、視覚的に比較し易いように、６視差（６視点）の視差画像の１視点あたりの画像の表示例と、２視差（２視点）の視差画像の１視点あたりの画像の表示例とを上下に重ねたものである。
【００４４】
図１３に示すように、６視差（６視点）の視差画像の場合、６画素中、１視点あたり１画素で画像が表示され、一方、２視差（２視点）の視差画像の場合は、６画素中、１視点あたり３画素で画像が表示される。
つまり、この表示装置１は、６視差の場合、表示パネル１３１の解像度に対して１／６の解像度の画像（画像データ）を６視点分入力し、２視点の場合、１／２の解像度の画像（画像データ）を２視点分入力する。６視差または２視差のいずれの場合であっても、トータルの解像度（情報量）は表示パネル１３１の解像度と同じである。
【００４５】
すなわち、この表示装置１は、特別の機構を必要とせず、画像データ入力部１１によって入力される画像データに基づき、互いに異なる視差数の視差画像が混在する画像を表示パネル１３１に表示することが可能である。たとえば、ある画像上の複数のコンテンツについて、運動視差を滑らかに表現したいコンテンツは視差数の多い視差画像によって表示し、文字が含まれているコンテンツや、奥行き感・飛び出し感を多く出したいコンテンツは視差数の少ない視差画像によって表示する等によって、この表示装置１は、立体視する観察者が違和感を覚えることを抑えることができる。
【００４６】
以上説明したように、本実施形態によれば、立体視する観察者が違和感を覚えることを抑えることが可能な表示装置、つまり、視差の切り替わりのスムーズさと画像の品位の高さとを両立可能な表示装置を提供することができる。
【００４７】
本発明の実施の形態として上述した表示装置を基にして、当業者が適宜設計変更して実施し得る全ての表示装置も、本発明の要旨を包含する限り、本発明の範囲に属する。
本発明の思想の範疇において、当業者であれば、各種の変更例及び修正例に想到し得るものであり、それら変更例及び修正例についても本発明の範囲に属するものと了解される。
例えば、前述の各実施形態に対して、当業者が適宜、構成要素の追加、削除若しくは設計変更を行ったもの、又は、工程の追加、省略若しくは条件変更を行ったものも、本発明の趣旨を備えている限り、本発明の範囲に含まれる。
また、本実施形態において述べた様態によりもたらされる他の作用効果について本明細書記載から明らかなもの、又は当業者において適宜想到し得るものについては、当然に本発明によりもたらされるものと解される。
【００４８】
本明細書にて開示した構成から得られる表示装置の一例を以下に付記する。
（１）
表示パネルと、前記表示パネルから出射される光線の方向を制御する光制御部とを有する表示部と、
前記表示パネルを制御して、互いに異なる視差数の２以上の視差画像が混在する画像を前記表示部の表示面に表示する画像表示制御部と、
を具備し、
前記画像表示制御部は、少なくとも第１領域に第１視差数の視差画像を表示し、第２領域に前記第１視差数よりも少ない第２視差数の視差画像を表示する、
表示装置。
（２）
前記第１領域は、前記表示面からの乖離量が一定量未満のオブジェクトが配置される領域であり、前記第２領域は、前記表示面からの乖離量が前記一定量以上のオブジェクトが配置される領域である、（１）に記載の表示装置。
（３）
前記画像表示制御部は、２次元画像が前記表示パネルに表示される場合における前記２次元画像の解像度に対して（１／第１視差数）の解像度で前記第１視差数の視差画像を表示し、前記２次元画像の解像度に対して（１／第２視差数）の解像度で前記第２視差数の視差画像を表示する、（１）又は（２）に記載の表示装置。
（４）
前記画像表示制御部は、前記（１／第１視差数）の解像度の情報が各々前記第１視差数ずつ水平方向に並ぶ前記第１視差数の視差画像を表示し、前記（１／第２視差数）の解像度の情報が各々前記第２視差数ずつ水平方向に並ぶ前記第２視差数の視差画像を表示する、（３）に記載の表示装置。
（５）
前記画像表示制御部は、前記第１視差数の視差画像と前記第２視差数の視差画像との間の領域に前記第１視差数および前記第２視差数と異なる第３視差数の視差画像を表示する、（１）乃至（４）のいずれか１つに記載の表示装置。
（６）
前記画像表示制御部は、前記互いに異なる視差数の２以上の視差画像間の領域に非視差画像である２次元画像を表示する、（１）乃至（４）のいずれか１つに記載の表示装置。
（７）
前記互いに異なる視差数の２以上の視差画像間の領域に表示する前記２次元画像は、単一色の画像である、（６）に記載の表示装置。
（８）
前記単一色の画像は、黒色の画像である、（７）に記載の表示装置。
（９）
前記光制御部は、視差バリアである、（１）乃至（８）のいずれか１つに記載の表示装置。
（１０）
前記光制御部は、レンチキュラーレンズである（１）乃至（８）のいずれか１つに記載の表示装置。
【符号の説明】
【００４９】
１…表示装置、１１…画像データ入力部、１２…画像表示制御部、１３…表示部、１３１…表示パネル（液晶パネル）、１３２…光線方向制御部（視差バリア／レンチキュラーレンズ）。
【図１】
2020178307.tif 000003
【図２】
2020178307.tif 000004
【図３】
2020178307.tif 000005
【図４】
2020178307.tif 000006
【図５】
2020178307.tif 000007
【図６】
2020178307.tif 000008
【図７】
2020178307.tif 000009
【図８】
2020178307.tif 000010
【図９】
2020178307.tif 000011
【図１０】
2020178307.tif 000012
【図１１】
2020178307.tif 000013
【図１２】
2020178307.tif 000014
【図１３】
2020178307.tif 000015